(57)【要約】【課題】板状体の両面における汚れを効率的に洗滌することができると共に、設置スペースを過剰に必要としない、新規な板状体の洗滌方法を提供する。【解決手段】板状体１２を立てた状態で支持せしめて、洗滌水吐出用ノズル３０から板状体１２の両側表面に向けて洗滌水を吐出させつつ、板状体１２に対する洗滌水吐出用ノズル３０の位置を板状体１２の長さ方向で相対的に移動させて、板状体１２の両側表面を同時に洗滌すると共に、板状体１２の両側に配置された洗滌水吐出用ノズル３０の対向部間における板状体１２の洗滌領域２８を板状体１２の長さ方向だけでなく上方へも開放した領域として、板状体１２に対して上方からの吊上具８４を装着せしめたままの状態で、板状体１２と洗滌水吐出用ノズル３０とを板状体１２の長さ方向で相対的に移動させて、吊上具８４を洗滌領域２８の上方への開放部分を通過させることにより、板状体１２の両側面の洗滌を行う。【選択図】図１
2015134333.tif 000002
【特許請求の範囲】
【請求項１】
洗滌対象物である板状体を立てた状態で支持せしめて、
該板状体の両側にそれぞれ配置せしめた洗滌水吐出用ノズルから該板状体の両側表面に向けて洗滌水を吐出させつつ、該板状体に対する該洗滌水吐出用ノズルの位置を該板状体の長さ方向で相対的に移動させて、該板状体の両側表面を同時に洗滌すると共に、
該板状体の両側に配置された該洗滌水吐出用ノズルの対向部間における該板状体の洗滌領域を該板状体の長さ方向だけでなく上方へも開放した領域として、
該板状体に対して上方からの吊上具を装着せしめたままの状態で、該板状体と該洗滌水吐出用ノズルとを該板状体の長さ方向で相対的に移動させて、該吊上具を該洗滌領域の上方への開放部分を通過させることにより、該板状体の両側面の洗滌を行うことを特徴とする板状体の洗滌方法。
【発明の詳細な説明】
【技術分野】
【０００１】
本発明は、例えば工事現場で使用される敷板の如き板状体の洗滌方法に関するものである。
【背景技術】
【０００２】
従来から、人や車両の通行に際して足場を確保すること等を目的として、地表や路面、床などに敷設される板状体が知られている。例えば、工事現場等では頻繁に大型車両が通行することから、耐荷重性に優れる金属製や強化プラスチック製の板状体が敷板として使用されている。
【０００３】
ところで、このような板状体では、工事が終了した時や所定の使用期間が経過した時などにおいて、その後の再使用や継続使用の前に、付着した泥等の汚れを洗い落とす処理が必要となる。このような処理を、ブラシを用いた手作業で行うことも可能であるが、より効率的に処理するために、例えば特開平５−２３９６７６号公報（特許文献１）において板状体の洗滌装置が提案されている。
【０００４】
かかる洗滌装置は、板状体を平置き状態で搬送するテーブル上にノズル群が設けられており、それらノズル群から噴出される高圧水で板状体の表面を洗滌するようになっている。
【０００５】
しかしながら、特許文献１に記載の洗滌装置は、板状体を平置状態で搬送しつつ上面を洗滌するものであるから、汚れや洗滌水が板状体の上面に残ってしまって十分な洗滌効果が発揮され難いという問題があった。
【０００６】
また、板状体の上面だけしか洗滌できないことから、両面洗滌が必要な場合には、一方の面を洗滌した後に、その都度、板状体を反転させて洗滌を繰り返す必要があり、洗滌処理効率が悪いだけでなく、板状体の反転の作業労力が負担になるという問題もあった。なお、板状体の上方に加えて下方にもノズル群を設けることも考えられるが、板状体の下方では板状体を支持および搬送する機構が邪魔になってノズル群を配設し難いし、上面と下面では洗滌効果が異なることから板状体の上下両面で均一の洗滌効果を安定して得難いという問題もある。
【０００７】
加えて、特許文献１に記載の洗滌装置は、洗滌に際して板状体を平置状態で支持および搬送する必要があることから、少なくとも板状体を平置きした面積より大きな設置面積が必要となり、装置の設置スペースがネックとなって利用できない場合もあった。
【先行技術文献】
【特許文献】
【０００８】
【特許文献１】特開平５−２３９６７６号公報
【発明の概要】
【発明が解決しようとする課題】
【０００９】
本発明は、上述の事情を背景に為されたものであって、その解決課題は、板状体の両面における汚れを効率的に洗滌することができると共に、設置スペースを過剰に必要としない、新規な板状体の洗滌方法を提供することにある。
【課題を解決するための手段】
【００１０】
本発明方法の第一の態様は、洗滌対象物である板状体を立てた状態で支持せしめて、該板状体の両側にそれぞれ配置せしめた洗滌水吐出用ノズルから該板状体の両側表面に向けて洗滌水を吐出させつつ、該板状体に対する該洗滌水吐出用ノズルの位置を該板状体の長さ方向で相対的に移動させて、該板状体の両側表面を同時に洗滌すると共に、該板状体の両側に配置された該洗滌水吐出用ノズルの対向部間における該板状体の洗滌領域を該板状体の長さ方向だけでなく上方へも開放した領域として、該板状体に対して上方からの吊上具を装着せしめたままの状態で、該板状体と該洗滌水吐出用ノズルとを該板状体の長さ方向で相対的に移動させて、該吊上具を該洗滌領域の上方への開放部分を通過させることにより、該板状体の両側面の洗滌を行うことを特徴とするものである。
【００１１】
本態様によれば、洗滌領域の上方が開放されており、板状体を吊上具に装着した状態のまま板状体と洗滌水吐出用ノズルとを相対移動させることができる。これにより、板状体を吊上具に装着した状態のままで板状体を洗滌できることから、洗滌装置に載置した板状体から吊上具を取り外したり、再装着したりするという煩雑な操作を行う手間を削減することができる。
【００１２】
本発明方法の第二の態様は、前記第一の態様に係る板状体の洗滌方法であって、前記板状体の洗滌前において、前記板状体の吊上具を用いて該板状体を吊り上げて前記洗滌領域へ搬入する工程と、該板状体の洗滌後において、該板状体の吊上具を用いて該板状体を吊り上げて該洗滌領域から搬出する工程とを、含むものである。
【００１３】
本態様によれば、未洗滌の板状体の洗滌領域への搬入や洗滌済みの板状体の洗滌領域からの搬出においても、板状体に対して吊上具が装着されており、板状体の洗滌前から洗滌後に至る一連の洗滌作業において、板状体に吊上具が装着された状態が維持される。これにより、作業者の労力が一層軽減され得て、板状体の洗滌効率の向上が図られ得る。
【００１４】
本発明方法に好適に採用される洗滌装置の第一の態様は、洗滌対象物である板状体を立てた状態で支持する板支持手段と、該板支持手段で立てた状態に支持される前記板状体の両側に位置するように立設されており、互いの対向部間において、該板状体の洗滌領域を上方に向かって開放した状態で構成する一対の竪型の洗滌具支持体と、該一対の竪型の洗滌具支持体によってそれぞれ支持されて設けられ、前記板支持手段で立てた状態に支持される前記板状体の両側面に対してそれぞれ洗滌水を吐出する洗滌水吐出用ノズルと、前記板支持手段で立てた状態に支持された前記板状体と、該板状体の両側に立設された前記一対の竪型の洗滌具支持体とを、該板状体の長さ方向で相対的に移動可能とする送り手段とを、有することを特徴とするものである。
【００１５】
本態様によれば、板状体を立てた状態で、その両面を洗滌水を用いて洗滌することができる。それ故、板状体の両面に付着した土や泥などの異物を、洗滌水で脱離させるだけでなく、異物自体に作用する重力と洗滌水の下方等への流動作用を巧く利用して、脱離させた異物を速やかに移動させて板状体の表面から取り除くことが可能になる。これにより、板状体の両側面を容易に且つ効率的に洗滌することができるのである。
【００１６】
しかも、板状体の洗滌領域が上方に向かって開放されていることから、板状体を立てた状態で洗滌領域へ搬入するに際して、例えばクレーン装置等で吊り下げられるワイヤーフック等の吊上具を利用して板状体を懸吊支持せしめる場合でも、かかる吊上具が板状体から上方に延びた状態のままで、洗滌領域の上方への開放部分を通過させて板状体を長さ方向へ送りつつ洗滌を行うことも可能になる。それ故、例えば洗滌前の板状体をストックヤードから洗滌領域に搬入して、洗滌領域で洗滌処理を行い、洗滌後の板状体を洗滌領域から別のストックヤードに搬出するまでの一連の処理工程の全体に亘って、吊上具を板状体からいちいち取り外す面倒な作業を必要とすることなく、吊上具を板状体に装着したままの状態で、板状体を容易に且つ効率的に移送することが可能になる。
【００１７】
また、本態様の洗滌装置では、板状体を立てた状態で洗滌することから、洗滌装置の平面的なサイズを小さくすることができて、洗滌装置自体の占有面積を含めた洗滌スペースを減少させることができる。これにより、狭いスペースにも洗滌装置を設置可能になり、洗滌装置の有効利用が図られ得る。
【００１８】
なお、本発明方法に好適に採用される板状体の洗滌装置は、例えば、洗滌を必要とする板状体のストック場所の近くに洗滌装置を設置したり、可能なら洗滌装置自体を可搬式または車輪等を装着させて可動式として板状体のストック場所の近くに移動設置することも、必要に応じて可能として良い。板状体のストック場所の近くに洗滌装置を設置することで、板状体の運搬に要する手間やコスト等を抑えて、板状体の洗滌効率の向上も図られ得る。
【００１９】
本発明方法に好適に採用される洗滌装置の第二の態様は、前記第一の態様に係る板状体の洗滌装置であって、前記洗滌水吐出用ノズルが、前記一対の竪型の洗滌具支持体の対向方向に対して傾斜した斜め方向へ洗滌水を吐出する回転ノズルとされたものである。
【００２０】
本態様によれば、吐出用ノズルから吐出される洗滌水が、板状体の表面に対して所定の傾斜角度をもって吹き付けられると共に、回転ノズルの回転中心軸回りで吐出用ノズルが回転することで、板状体の表面に対する傾斜方向が連続的に変化せしめられる。それ故、板状体の表面に付着した異物に対して板状体から剥離させるようにして取り除くように作用する水圧が、板状体の表面に対して垂直方向から洗滌水が吹き付けられる場合に比して、斜め側方から吹き付けられる洗滌水によって一層効率的に作用せしめられて、異物がより効率的に除去され得る。
【００２１】
しかも、板状体の表面に凹凸があったり、特に板状体の表面の突部の先端部分が潰されて傘状や庇状に広がることで板状体の側方に開口する隙間が形成され、そこに泥等の異物が詰まって付着しているような場合でも、斜め側方から吹き付けられる洗滌水によって異物の除去作用が効果的に発揮され得る。
【００２２】
本発明方法に好適に採用される洗滌装置の第三の態様は、前記第一又は第二の態様に係る板状体の洗滌装置であって、前記竪型の洗滌具支持体において、前記洗滌水吐出用ノズルが昇降可能に支持されると共に、該洗滌水吐出用ノズルを昇降作動せしめるノズル移動用駆動源が設けられることにより、ノズル昇降駆動機構が構成されているものである。
【００２３】
本態様によれば、洗滌水吐出用ノズルを昇降させることにより、洗滌水吐出用ノズルの設置数を少なく抑えつつ、板状体の表面に対する有効洗滌面積を大きく設定することが可能になる。特に、本態様において前記第二の態様を組み合わせて採用することが望ましく、洗滌水吐出用ノズルを回転および昇降させることで、板状体の表面に対する洗滌体の吹き付け角度を効率的に変化させることが可能になる。それにより、表面に強固に付着した異物や、異なる方向に向かって側方に開口する隙間に詰まった異物等に対しても、表面から剥離させるのに適した方向から洗滌水を吹き付けることができて、洗滌効果の向上が図られ得る。
【００２４】
本発明方法に好適に採用される洗滌装置の第四の態様は、前記第一〜第三の何れかの態様に係る板状体の洗滌装置であって、前記板状体が載置される基台フレームが設けられていると共に、該基台フレームに対して前記一対の竪型の洗滌具支持体が、該基台フレームで支持された該板状体の長さ方向に往復移動可能とされることによって、前記送り手段が構成されており、更に、該一対の竪型の洗滌具支持体を基台フレームに対して往復移動させる支持体移動用駆動源が設けられることにより、支持体往復駆動機構が構成されているものである。
【００２５】
本態様によれば、基台フレームに支持された板状体を移動させることなく、一対の竪型の洗滌具支持体を基台フレーム上で往復移動させることで、板状体の両側表面の全体を洗滌することができる。すなわち、基台フレーム上で板状体の移動スペースを確保する必要がないことから、洗滌装置の更なるコンパクト化が図られると共に、板状体の洗滌に必要とされるスペースも小さくて済む。
【００２６】
本発明方法に好適に採用される洗滌装置の第五の態様は、前記第一〜第三の何れかの態様に係る板状体の洗滌装置であって、前記板状体が載置される基台フレームが設けられており、該基台フレーム上において前記板状体を立てた状態で略水平方向へ搬送する搬送手段によって、前記送り手段が構成されているものである。
【００２７】
本態様によれば、基台フレーム上で板状体を略水平方向へ搬送することにより、板状体の搬送に際して必要とされるエネルギーを小さくすることが出来て、装置構造の簡略化や作業労力の軽減が図られ得る。また、一対の竪型の洗滌具支持体を基台フレーム上で移動させる機構も不要と為し得るから、構造の簡略化も図られ得る。
【００２８】
なお、板状体を略水平方向に搬送する搬送手段としては、板状体をフック等で吊り下げて、掛け渡されたワイヤやチェーン、ベルト等で移送するものや、板状体を載置させて走行する台車構造のものなど、公知の各種構造が採用可能である。また、搬送方式としても、板状体を移動させるための駆動力を用いた自走式などの動力式のものの他、作業者の押力などの外力によって移動させる非動力式も採用可能である。更にまた、板状体を連続的に送ることができる連続移動式の他、動力や外力による板状体の移動を間欠的に行う間欠移動式も採用可能である。
【００２９】
本態様では、かかる搬送手段として、例えば水平方向にのびる回転軸をもった複数のローラまたはホイールを所定間隔で並置せしめたローラコンベヤまたはホイールコンベヤが好適に採用される。これにより、かかる複数のローラまたはホイール上に板状体を立てた状態で載置して下辺を支持せしめて搬送するようにされる。また、このようなローラコンベヤまたはホイールコンベヤには、必要に応じて、板状体を立てた状態で搬送可能に保持する柵やガイドロッドなどの側方からの支持部材が併せて採用され得る。
【発明の効果】
【００３０】
本発明方法に従って板状体を洗滌することにより、板状体を裏返したりせずに板状体を立てた状態で両側面を洗滌することができて、設置スペースを小さく抑えつつ、高い洗滌効率が確保される。更に、洗滌領域の上方が開放されていることから、吊上具を装着したまま板状体の洗滌が実施され得て、吊上具の着脱等の手間が削減され得る。
【図面の簡単な説明】
【００３１】
【図１】本発明方法に好適に採用される板状体の洗滌装置の具体的な一例を示す縦断面図であって、図２におけるＩ−Ｉ断面図。
【図２】図１に示される板状体の洗滌装置の平面図。
【図３】図２の要部を示す拡大図。
【図４】図１におけるＩＶ−ＩＶ断面図。
【図５】図１に示される板状体の洗滌装置による板状体の洗滌状態を説明するための説明図。
【図６】本発明方法に好適に採用される板状体の洗滌装置の別の具体例を示す縦断面図であって、図１に対応する図。
【発明を実施するための形態】
【００３２】
以下、本発明方法の実施形態について、図面を参照しつつ説明する。
【００３３】
先ず、図１〜４には、本発明方法の第一の実施形態において好適に採用される洗滌装置の具体的な一例として、板状体の洗滌装置１０が示されている。この洗滌装置１０は、板状体１２を基台フレーム１４上に立てた状態で支持せしめて両面を同時に洗滌するようになっている。なお、本実施形態において洗滌対象物である板状体１２としては、例えば数メートル四方の大形の略矩形平板形状のものを想定している。また、以下の説明において、上下方向とは図１中の上下方向をいい、前後方向とは図１中の左右方向、左右方向とは図４中の右左方向をいう。
【００３４】
より詳細には、洗滌装置１０は、下部において平面矩形状の基台フレーム１４を備えている。基台フレーム１４は、複数のロック付きのキャスター１５を備えており、キャスター１５のロックを外すことにより、洗滌装置１０の全体を押し動かすことができるようになっている。
【００３５】
また、基台フレーム１４の上には、幅方向中央部分を長さ方向の全長に亘って延びる支持台２０が固定されており、この支持台２０の上に板状体１２が載せられて略水平に支持され得るようになっている。
【００３６】
更にまた、基台フレーム１４には、その天板１６と底板１８を貫通して中央部分を上下に貫通して延びる矩形窓からなる開口部２１が形成されている。即ち、基台フレーム１４は、全体として矩形枠形の平面形状とされており、上方から落ちてくる洗滌水が上面にとどまることなく、基台フレーム１４の外周に加えて中央の開口部２１からも速やかに排水され得るようになっている。
【００３７】
さらに、支持台２０には、上方に突出する支持突起２４が、幅方向で対向するように対を為して、且つ支持台２０の長さ方向で所定間隔を隔てて複数設けられている。そして、これら幅方向で対向する支持突起２４，２４間に、板状体１２の下端縁部が差し入れられて位置決め保持されるようになっている。なお、各支持突起２４の上端部分は、対向方向で外方に向って広がるように屈曲しており、上方から、板状体１２の下端縁部を差し入れ易くなっている。即ち、本実施形態では、板状体１２を立てた状態で支持する板支持手段が、支持台２０に設けられた各支持突起２４を含んで構成されている。
【００３８】
また一方、洗滌機本体の走行ベース２５が、基台フレーム１４の上面を幅方向に跨ぐようにして設けられている。この走行ベース２５は、平面矩形状とされており、基台フレーム１４の天板１６と支持台２０との間を差し通されて水平方向に広がる状態で配されて、基台フレーム１４の長さ方向で移動可能とされている。なお、走行ベース２５の中央部分には、排水等の目的で上下方向に貫通する窓部が形成されている。
【００３９】
また、走行ベース２５は、その両側縁部から下方に突設された４本の脚部２５ａの各下端に装着された車輪２５ｂが、基台フレーム１４の幅方向両側面に開口して延びる走行溝２３，２３内を走行可能とされることにより、走行ベースが基台フレーム１４に対して支持されている。また、基台フレーム１４の天板１６には、開口部２１を挟んだ幅方向両側部分を長さ方向の略全長に亘って平行に延びる貫通溝２２，２２が形成されており、走行ベース２５から下方に突設された連結部材２５ｃが、貫通溝２２から基台フレーム１４内に差し入れられている。そして、後述する支持体往復駆動機構を構成する支持体移動用チェーン７８に対して、かかる連結部材２５ｃが連結固定されることにより、走行ベース２５が搬送手段により基台フレーム１４の長さ方向に駆動されて走行移動せしめられるようになっている。
【００４０】
さらに、走行ベース２５には、支持台２０を挟んだ基台フレーム１４の幅方向両側に位置して上方に向ってタワー状に突設された一対の洗滌具支持体２６，２６が設けられている。これらの洗滌具支持体２６，２６は、支持台２０上に立てた状態で載置された板状体１２の両側で、板状体１２と略同じか一層大きい高さで設けられている。そして、これら一対の洗滌具支持体２６，２６の間の領域が板状体１２の洗滌領域２８とされており、この洗滌領域２８は上方および前後方向に向かって開放されている。
【００４１】
また、これらの洗滌具支持体２６，２６のそれぞれには、洗滌領域２８へ洗滌水を吐出して板状体１２の両側を洗滌するための、洗滌水吐出用ノズル３０が設けられている。本実施形態では、それぞれの洗滌具支持体２６に対して、２つの洗滌水吐出用ノズル３０，３０が、上下方向に離隔して設けられている。
【００４２】
かかる洗滌水吐出用ノズル３０は、洗滌領域２８に配置される板状体１２の表面に対して所定傾斜角度をもって斜め方向に洗滌水が吐出される傾斜吐出孔を有するものであり、特に本実施形態では、回転軸に対して斜め方向に吐出する液体の水圧によって回転する水圧回転ノズルとされている。即ち、洗滌水吐出用ノズル３０には吐出口４８が複数（本実施形態では２つ）設けられており、この吐出口４８，４８は、洗滌水吐出用ノズル３０における中心軸５０の延出方向、即ち一対の洗滌具支持体２６，２６の対向方向に対して外側に傾斜して設けられている。これにより、洗滌水が板状体１２に対して斜め方向から吹き付けられると共に、吐出する洗滌水の水圧により洗滌水吐出用ノズル３０が回転可能とされている。
【００４３】
また、各洗滌水吐出用ノズル３０は、洗滌具支持体２６に対して上下方向に移動可能に案内される支持板４４に取り付けられていると共に、洗滌具支持体２６，２６の内部には、支持板４４を上下方向に往復移動させるためのノズル昇降駆動機構が設けられている。
【００４４】
かかるノズル昇降駆動機構は、各洗滌具支持体２６の内部において、上端近くの主動ギヤと下端近くの従動ギヤとの間に掛け渡された無端のノズル昇降用チェーン４２と、主動ギヤに駆動力を及ぼしてノズル昇降用チェーン４２を駆動させるノズル移動用駆動源としての電動モータ３４およびギヤボックス３６を含んで構成されている。
【００４５】
なお、ノズル昇降用チェーン４２の主動側及び従動側のギヤの回転軸３８，４０は、走行ベース２５の走行方向と平行に延びており、かかる回転軸３８，４０の軸方向で所定距離を隔てて２本のノズル昇降用チェーン４２，４２が配設されている。そして、これら２本のノズル昇降用チェーン４２，４２に跨がって、洗滌水吐出用ノズル３０の支持板４４が取り付けられており、支持板４４が略鉛直状態を保ったままで昇降移動されるようになっている。即ち、本実施形態では、洗滌具支持体２６に対して洗滌水吐出用ノズル３０，３０が昇降可能に支持されており、ノズル移動用駆動源３４と上下の回転軸３８，４０、ノズル用昇降チェーン４２，４２を含んで構成されたノズル昇降駆動機構によって、かかる洗滌水吐出用ノズル３０が昇降移動されるようになっている。
【００４６】
また、洗滌水吐出用ノズル３０には、洗滌水供給管４６の一端が接続されており、この洗滌水供給管４６を通じて、洗滌水を所定の圧力で供給する外部の洗滌水供給源に連通されている。なお、洗滌水供給管４６から延びるホース等は、後述する支持案内装置８０に収容されて装着されることが望ましい。
【００４７】
更にまた、洗滌具支持体２６，２６には、洗滌領域２８を挟んだ両側において前方に延び出すガイドロッド５２ａと後方に延び出すガイドロッド５２ｂが突設されている。これらのガイドロッド５２ａ，５２ｂは、上下方向に離隔して２対設けられており、延び出し方向の先端側に向って水平方向で拡開しており、基台フレーム１４上を洗滌機本体に向かって送られてくる板状体１２を、洗滌具支持体２６，２６間の洗滌領域２８へ導き入れるガイド作用を為すようにされている。なお、ガイドロッド５２ａ，５２ｂの拡開角度は、適宜に調節可能とされている。
【００４８】
一方、基台フレーム１４の内部には、上述の如き洗滌具支持体２６，２６を下端で支持せしめる走行ベース２５を、基台フレーム１４の前後方向（図１中の左右方向）に駆動させる支持体往復駆動機構が設けられている。かかる支持体往復駆動機構は、基台フレーム１４の幅方向両側に配された一対の支持体移動用チェーン７８，７８と、それを駆動する支持体移動用駆動源としての電動モータ７０とを含んで構成されている。
【００４９】
すなわち、基台フレーム１４の前後方向の各端部近くには、幅方向に延びる主動側および従動側の回転軸７４，７６が配されており、それらの回転軸７４，７６に装着された各スプロケット間に跨がって、一対の無端チェーンからなる支持体移動用チェーン７８，７８が装着されている。また、各支持体移動用チェーン７８，７８には、無端上の所定位置に対して、支持ベース２５に突設された前述の連結部材２５ｃが固定されており、支持ベース２５が支持体移動用チェーン７８，７８に対して連結されている。
【００５０】
そして、電動モータ７０の回転駆動力がギヤボックス７２を介して主動側の回転軸７４に及ぼされて支持体移動用チェーン７８，７８が駆動されることにより、走行ベース２５が基台フレーム１４の長さ方向に駆動されて走行移動せしめられるようになっている。このことから、本実施形態では、支持体移動用駆動源７０、回転軸７４，７６、支持体移動用チェーン７８，７８等を含んで、回転軸７４の回転方向に応じて洗滌具支持体２６，２６の走行ベース２５を基台フレーム１４に対して往復移動させることができる支持体往復駆動機構が構成されている。
【００５１】
なお、図１中において、左方に二点鎖線で示されている洗滌具支持体は、支持体往復駆動機構により基台フレーム１４の前方端まで移動した状態を示しており、右方に二点鎖線で示されている洗滌具支持体は、支持体往復駆動機構により基台フレーム１４の後方端まで移動した状態を示している。
【００５２】
また、ノズル移動用駆動源３４および支持体移動用駆動源７０に電力を供給する電線等は、洗滌水吐出用ノズル３０に洗滌水を供給するホース等とあわせて、洗滌装置１０の側面（図４中の左方）に設けられた「ケーブルベア（登録商標）」等の支持案内装置８０に収容されることで、洗滌具支持体２６，２６の移動に際しても捻れ等が発生しないようにされている。
【００５３】
ここにおいて、洗滌対象物である板状体１２は何等限定されるものではないが、例えば工事現場等で足場の確保等の目的で使用される敷板が挙げられる。かかる敷板には、滑り止めを目的として表面に複数の凹凸８２が形成されている場合もある。このような敷板としては、例えば「こうじばん（登録商標）」の名称で知られる敷板が挙げられるが、強化プラスチック板に限定されず、例えば金属板でも良い。
【００５４】
なお、洗滌装置１０による板状体１２の洗滌に際しては、板状体１２の上端部分を吊上具としてのフック８４等を介してクレーン等で吊り上げて実施することが好ましい。これにより、作業者が板状体１２を自力で持ち上げて支持台２０上に運び上げるという労力を軽減させることができる。
【００５５】
以下、洗滌装置１０による板状体１２の洗滌方法を、図５を示して説明する。なお、図５では、見易さのために、洗滌装置１０における支持台２０よりも手前側を一部省略して示している。
【００５６】
先ず、未洗滌の板状体の外周部分に対して吊上具としてのワイヤ先端のフック８４を装着する。なお、板状体１２におけるフック８４の装着箇所は、支持台２０上に載置される状態において上端部分となる位置に装着される。かかるフック８４の装着位置は、板状体１２において洗滌状態で上端縁となる辺部において複数箇所に設けられていても良いが、本実施形態では略中央に一カ所設けられている。また、フック８４は、板状体１２を吊り上げ得る支持強度を有するものであれば良く、スナップリング構造等をもって板状体１２の両面から挟み持つものであっても良いが、本実施形態では、予め板状体１２に形成された挿通孔に対して挿し通されるフック構造等が好適に採用される。
【００５７】
次に、クレーン等を操作することにより、ワイヤ先端のフック８４が係止された板状体１２を吊り上げる。そして、かかる吊上状態を維持しつつ、板状体１２を支持台２０上の洗滌領域２８に移送して、板状体１２の下端縁部を支持台２０上の支持突起２４，２４間に差し入れるようにしてセットする。この際、作業者が洗滌装置１０の前方或いは後方から洗滌領域２８に挿入するように載置してもよいが、例えば、洗滌領域２８が上方にも開放されていることから、洗滌領域２８に対して上方から差し入れるようにして板状体１２をセットすることも可能である。
【００５８】
これにより、板状体１２の洗滌前において、板状体１２の吊上具８４を用いて吊上状態を維持しつつ、板状体１２を洗滌領域２８へ搬入する工程を終了する。なお、かかる工程において、洗滌具支持体２６，２６は、図４に示すように基台フレーム１４の長さ方向中間部分に位置していてもよいし、基台フレーム１４の前方端や後方端に位置していてもよい。
【００５９】
次に、上記の如き洗滌領域２８にセットした板状体１２を、フック８４での吊り下げ力を利用して、更に必要に応じて支持突起２４やガイドロッド５２ａ，５２ｂによる位置決め力を用いて、洗滌領域２８内で立てた状態に保持せしめる。そして、かかる保持状態下で、洗滌水吐出用ノズル３０から洗滌水を板状体１２の両側表面に吐出させる。本実施形態では、洗滌水吐出用ノズル３０が水圧回転ノズルとされており、板状体１２に対して傾斜して洗滌水を吐出することから、例えば板状体１２の凹凸８２内に入り込んだ泥等にも効果的に洗滌水が吹き付けられる。
【００６０】
続いて、洗滌水吐出用ノズル３０から洗滌水を吐出した状態で、ノズル移動用の電動モータ３４を駆動させて、洗滌水吐出用ノズル３０を昇降移動させる。これにより、板状体１２の高さ方向でさまざまな部分に位置する領域に洗滌作用を及ぼすことができ、凹凸８２の内部に入り込んだ泥等も効果的に除去することができる。なお、前述の洗滌水吐出用ノズル３０からの洗滌水の吐出および吐出停止の切換えは操作スイッチを別個に設けてもよいが、例えばノズル移動用の電動モータ３４と連動させるようにしてもよい。
【００６１】
また、かかる洗滌作動に際して、洗滌水吐出用ノズル３０の昇降移動は、上下両方の移動端をリミットスイッチやタイマスイッチなどの適切なセンサ手段で検出して、予め設定した往復移動端の間において自動で往復作動させることができる。また、洗滌水吐出用ノズル３０の昇降移動回数をカウントする制御手段を設けて、予め設定した回数だけ昇降移動させることも可能である。
【００６２】
そして、洗滌水吐出用ノズル３０の昇降移動に伴う洗滌作動が終了したら、ノズル移動用駆動源３４を停止させ又は停止させることなく、支持体移動用の電動モータ７０を駆動させて、板状体１２の長さ方向へ洗滌具支持体２６，２６を所定量だけ移動させる。かかる移動後、支持体移動用駆動源７０を停止させると共に、ノズル移動用の電動モータ３４を駆動させて、上述の如き洗滌水吐出用ノズル３０の昇降による洗滌作動を繰り返す。
【００６３】
なお、板状体１２の長さ方向における洗滌具支持体２６，２６の移動は、上述のように洗滌水吐出用ノズル３０の昇降による洗滌作動と連動させて、予め設定したタイマスイッチや洗浄水吐出用ノズル３０の昇降移動回数のカウントスイッチなどを用いて間欠的に行う他、例えば、洗滌水吐出用ノズル３０，３０を昇降移動させつつ、洗滌具支持体２６，２６を板状体１２の長さ方向へ連続的に一定速度で又は速度を増減変化させながら移動させてもよい。
【００６４】
また、洗滌水吐出用ノズル３０や洗滌具支持体２６は、洗滌前の初期位置において、上下方向や前後方向の端部にある必要はなく、それぞれ中間部分に位置していてもよい。洗滌水吐出用ノズル３０や洗滌具支持体２６は、上下方向や前後方向の一方向のみに移動するものではなく、それぞれ往復可能とされており、その初期位置は任意に設定可能である。
【００６５】
而して、板状体１２の長さ方向の全長に亘って洗滌具支持体２６，２６を相対移動させて、板状体１２の両面の全体を略同時に洗滌することにより板状体１２の洗滌が終了すると、クレーン等により板状体１２を洗滌領域２８から上方へ吊り上げて取り出す。なお、板状体１２の長さ方向における洗滌具支持体２６，２６の移動端部は、リミットスイッチなどのセンサ手段で検出して、洗滌水吐出用ノズル３０からの洗滌水の吐出作動とあわせて自動停止されるようにしても良い。そして、洗滌処理が完了したら、洗滌済み板状体置き場などへ、かかる板状体１２を移動させる。これにより、板状体１２の洗滌後において、板状体１２の吊上具８４を用いて板状体１２を吊り上げて洗滌領域２８から搬出する工程を終了する。
【００６６】
ここにおいて、洗滌装置１０による板状体１２の洗滌では、洗滌が施されている間でも板状体１２から吊上具８４が取り外されることがなく、吊上具８４により吊り上げられた状態を維持しつつ洗滌が施される。即ち、洗滌領域２８の上方が開放されていることから、洗滌具支持体２６，２６を板状体１２の長さ方向に移動させる際にも、吊上具８４を洗滌領域２８の開放部分を通過させることができて、板状体１２の両側面に対して吊上具８４を装着させたまま洗滌を実施することができる。
【００６７】
上述の如き構造とされた板状体の洗滌装置１０では、板状体１２を立てた状態で両側面を洗滌することができることから、板状体１２に対して吐出された洗滌水が泥等の異物と共に下方へと排水される。これにより、板状体を裏返す必要がなくなり、洗滌時間や労力等の削減が図られて、板状体の効率的な洗滌が実現され得る。
【００６８】
また、洗滌領域２８の上方が開放されており、板状体１２を洗滌装置１０に搬入してから搬出するまでの間、吊上具８４により吊り上げたままの状態とすることが可能である。これにより、作業者の労力が削減され得ると共に、板状体１２から吊上具８４を取り外したり再装着したりする等の煩雑な操作を行う必要がない。加えて、吊上具８４を介して、板状体１２には常に支持力が及ぼされ得ることから、洗滌や移動に際しても、人手による外力を殆ど必要とすることなく、板状体１２を立てた状態に安定して保持させることができるのであり、それによって目的とする洗滌効果も板状体１２の両面に安定して及ぼすことが可能になる。
【００６９】
さらに、洗滌装置１０に対して板状体１２を立てた状態で載置することから、板状体１２を支持せしめるために必要な面積を小さくすることができて、これにより、洗滌装置１０の平面的なサイズも小さくすることができる。従って、洗滌装置１０を設置するための制限等が緩和され得て、更に広範に亘って洗滌装置１０が使用可能とされ得る。特に本実施形態では、基台フレーム１４に対して板状体１２の長さ方向で、洗滌具支持体２６，２６を下端で支持せしめる走行ベース２５が移動可能とされて、洗滌領域２８が移動するようになっていることから、洗滌装置１０の長さ寸法を、板状体１２の長さ寸法より僅かに大きい程度にまで抑えて、一層の装置のコンパクト化が実現可能となる。
【００７０】
また、本実施形態では、洗滌水吐出用ノズル３０が水圧回転ノズルとされて、吐出口４８が板状体１２に対して傾斜していることから、板状体１２が凹凸８２を有する場合でも、凹凸８２の内部にまで洗滌水が吹き付けられる。これにより、板状体１２に対する洗滌効果の向上が図られている。
【００７１】
さらに、本実施形態の洗滌装置１０では、ノズル昇降駆動機構および支持体往復駆動機構が構成されていることから、板状体１２に対する洗滌水吐出用ノズル３０の位置が長さ方向および幅方向において、適宜変更、調節され得る。これにより、板状体１２の両側面における略全面に亘って洗滌水を吐出することが可能とされて、また、凹凸８２に対して多方向から洗滌水を吐出することができることから、板状体１２の洗滌効率の向上が図られ得る。
【００７２】
次に、図６には、本発明方法の第二の実施形態において好適に採用される洗滌装置の別の具体例として、板状体の洗滌装置８６が示されている。前記実施形態では、板状体１２を支持台２０上に載置して洗滌具支持体２６，２６を移動させることにより、板状体１２と洗滌具支持体２６，２６との相対的な位置を変更可能としていたが、本実施形態では、洗滌具支持体２６，２６を基台フレーム１４上に固定して板状体１２を移動させることにより、板状体１２と洗滌具支持体２６，２６との相対的な位置を変更可能としている。なお、本実施形態において、前記実施形態と同一の部材および部位には、図中に前記実施形態と同一の符号を付すことにより、詳細な説明を省略する。
【００７３】
本実施形態では、基台フレーム１４上に設けられた支持台２０上にローラコンベアが装備されており、このローラコンベア上に立てた状態で板状体１２が前後方向（図中の左右方向）へ送り可能に載置されるようになっている。即ち、支持台２０には、長さ方向略全長において、略等間隔に複数のローラ８８が設けられており、これらのローラ８８は軸回転可能とされている。これにより、水平に延びるローラコンベアが構成されており、ローラコンベア上に載置された板状体１２を、例えば図６中の右方である後方から図６中の左方である前方へと移動させることができる。従って、本実施形態では、かかるローラコンベアにより板状体１２の搬送手段が構成されており、且つ、この搬送手段により板状体１２を搬送することにより、板状体１２と洗滌具支持体２６，２６の相対的な位置が変更される。それ故、本実施形態では、かかる搬送手段をもって、板状体１２の長さ方向に対して洗滌具支持体２６，２６が移動可能とされる送り手段が構成されている。
【００７４】
なお、本実施形態では、例えば作業者が板状体１２を後方から押すことによって板状体１２を前方へ移動させることができる。この際においても、洗滌領域２８の上方が開放されていることから、板状体１２をフック８４に装着した状態で洗滌領域２８内を通過させることができて、本実施形態における洗滌装置８６についても前記実施形態における洗滌装置１０と同様の効果が発揮され得る。
【００７５】
以上、本発明方法の実施形態について詳述してきたが、本発明方法はその具体的な記載によって限定されない。例えば、前記実施形態の洗滌装置１０，８６に対して板状体１２を洗滌するためのブラシを設けてもよい。このブラシは、回転式であっても非回転式であってもよく、回転式とされる場合は、例えば電動モータ等の駆動源によって制御され得る。即ち、洗滌具支持体２６，２６の対向内面において、それぞれ、板状体１２の表面と略平行に延びる回転軸をもって洗滌ブラシを支持せしめると共に、かかる洗滌ブラシを回転軸回りに回転駆動する電動モータを含んでブラシ駆動機構を設けることも可能である。尤も、前記実施形態に示された板状体の洗滌装置１０，８６は単なる例示に過ぎず、洗滌装置は洗滌領域の少なくとも長さ方向および上方向が開放されていればよく、洗滌装置における他の部分の具体的な構造を何等限定するものではない。
【００７６】
また、前記第一の実施形態ではノズル移動用駆動源３４と支持体移動用駆動源７０を別個に設けていたが、それぞれ共通の駆動源とされてもよい。更に、上記のブラシが回転式とされて駆動源が設けられる場合には、これらの駆動源３４，７０と別個に設けられてもよいし、共通の駆動源とされてもよい。また、ノズル昇降駆動機構や支持体往復駆動機構として、例示の如きチェーンによる伝動機構の他、例えばタイミングベルトやＶベルトとプーリーを用いたベルト、ラック・ピニオン機構、リンク機構等による公知の各種の駆動力伝達機構が採用可能であり、更に、そのような伝動機構やギヤ機構などの伝動機構を介して車輪２５ｂ等の駆動輪を回転駆動させること等により、ノズルや走行ベースを移動させる構造なども適宜に採用可能である。
【００７７】
更にまた、前記第二の実施形態では、搬送手段としてローラコンベアが採用されていたが、かかる態様に限定されない。この搬送手段としては、掛け渡されたワイヤやチェーン、ベルト等で移送するものや、板状体１２を載置させて走行する台車構造のものなど、公知の各種構造が採用可能である。また、搬送方式としても、前記実施形態の如き作業者の押力などの外力によって移動させる非動力式のものの他、板状体１２を移動させるための駆動力を用いた自走式などの動力式も採用可能である。更に、板状体を連続的に送ることができる態様が採用されても良い。
【００７８】
ここにおいて、ノズル昇降駆動機構による洗滌水吐出用ノズル３０の昇降速度や支持体往復駆動機構による洗滌具支持体２６の移動速度、洗滌水吐出用ノズル３０から吐出される洗滌水の吐出圧力、板状体の搬送手段による板状体１２の搬送速度、回転式のブラシを設けた際のブラシの回転速度等は一定でなくてもよい。即ち、例えばこれらの速度を遅くしたり速くしたりすることによって、板状体における泥等の異物が多く付着している箇所を重点的に洗滌することができるし、洗滌対象物の状態に応じて洗滌力を適宜に調節することも可能になる。また、上述の如き洗滌水吐出用ノズル３０や洗滌具支持体２６の速度および移動範囲、洗滌水の吐出圧力などの作動は、各種のセンサを用いてＯＮ／ＯＦＦや調節を行って自動制御することも可能である一方、リモートコントローラを設けて作業者が任意に変更設定等してリモート制御することも可能である。
【００７９】
また、前記第二の実施形態では、支持台２０上にローラコンベアが形成されていたが、支持台は必要ではなく、支持台２０を設けることなく、天板１６上にローラコンベアが設けられていてもよい。
【００８０】
さらに、本発明方法に好適に採用される板状体の洗滌装置において、ノズル昇降駆動機構は必須なものではなく、例えば洗滌水吐出用ノズルの数や吐出方向などが板状体１２の洗滌面に対して十分に広範に亘って設定される場合等においては、洗滌水吐出用ノズルを洗滌具支持体に対して固定的に設けることも可能である。
【００８１】
なお、前記実施形態では、板状体１２の長辺が洗滌装置１０，８６の前後方向に延びるように載置されていたが、板状体１２の短辺が洗滌装置の前後方向に延びるように載置されてもよい。かかる状態であっても、洗滌装置の前後方向が、板状体における洗滌時の長さ方向とされる。
【００８２】
その他、例えば基台フレーム１４の下方に洗滌水を捕捉して排水処理する洗滌水受け用のパンなどを設けたり、洗滌具支持体２６の周囲を覆うカバーを設けて周囲への洗滌水の飛散を抑えたり、板状体１２の表面へ洗滌用の洗剤などを供給するノズルを付設したり、洗滌後の乾燥用ブロアを設けたり、キャスター１５を外して固定設置構造とするなどの適宜の改良は、当業者によって行うことが可能である。
【符号の説明】
【００８３】
１０，８６：板状体の洗滌装置、１４：基台フレーム、２０：支持台、２３：走行溝、２４：支持突起、２６：洗滌具支持体、２８：洗滌領域、３０：洗滌水吐出用ノズル、３４：電動モータ（ノズル移動用駆動源）、３８，７４：回転軸（主動側）、４０，７６：回転軸（従動側）、４２：ノズル昇降用チェーン、７０：電動モータ（支持体移動用駆動源）、７８：支持体移動用チェーン、８４：フック（吊上具）、８８：ローラ
【図１】
2015134333.tif 000003
【図２】
2015134333.tif 000004
【図３】
2015134333.tif 000005
【図４】
2015134333.tif 000006
【図５】
2015134333.tif 000007
【図６】
2015134333.tif 000008